(57)【要約】【課題】  パケットにタバコをパックする方法および装置を提供する。【解決手段】  出力ホイールが折り畳み通路に沿って複数の把持ヘッドを供給し、把持ヘッドの各々が、相互に重なる長手内タブおよび長手外タブにより各々が画定される主側壁を有するパケットを端部によって受けかつ保持し、各パケットが、長手内タブから外されて開放した長手外タブを伴って折り畳み通路へ供給され、かつ把持ヘッドにより担持された折り畳みウイングによって支持され、かつ折り畳み通路は折り畳みステーションへ延在し、該ステーションで、各把持ヘッドの折り畳みウイングは長手外タブを長手内タブと接触する閉鎖位置へ折り畳むために移動し、同時に各パケットの外方に対面する主側壁が外部コントラスト装置と接触することによってフラット維持される。【選択図】      図１
2004269055.tif 000002
【特許請求の範囲】
【請求項１】
二つの主側壁（９，１０）、および二つの小側壁（１１）を有し、その各々が相互に重なりかつ一体化された長手内タブ（１４）および長手外タブにより形成されるパケット（７）にタバコをパックする方法において、
前記パケット（７）を折り畳みステーション（２３）へ延びた折り畳み通路（Ｐ）に沿って連続的に供給する工程であって、
それぞれの長手内タブ（１４）から外されて、把持ヘッド（６）により担持されたそれぞれの折り畳みウイング（２１）によって開放位置に支持された開放位置の前記パケット（７）の長手外タブ（１５）と共に、対応するパケット（７）を端部により保持する対応する把持ヘッド（６）により、各パケット（７）を折り畳みステーション（２３）へ延びた折り畳み通路（Ｐ）に沿って供給する工程、および
対応する長手内タブ（１４）と接触する閉鎖位置へ各長手外タブ（１５）を折り畳むために、折り畳みステーション（２３）で各把持ヘッド（６）の折り畳みウイング（２１）を移動する工程を含み、
更に、前記パケット（７）が折り畳みステーション（２３）へ移動する時の少なくとも一時期に対応する把持ヘッド（６）に対して外方に対面する各パケット（７）の主側壁（１０）に外部コントラスト部材（３２，４９）を実質的自由に接触させかつ接触を維持する工程を含むことを特徴とする、タバコのパック方法。
【請求項２】
前記折り畳み通路（Ｐ）は前記折り畳みステーション（２３）から上流の接着ステーション（２９）へ延び、接着剤は接着ステーション（２９）で各長手外タブ（１５）および対応する長手内タブ（１４）間に供給される、請求項１の方法。
【請求項３】
前記コントラスト部材（３２）と対応する主側壁（１０）間の接触は、コントラスト部材（３２）と対応するパケット（７）間のゼロ相対速度により静的接触である、請求項１または２の方法。
【請求項４】
前記コントラスト部材（３２）は、対応する把持ヘッド（６）と同期して前記折り畳みステーション（２３）へ移動するために、前記折り畳み通路（Ｐ）の外側で、第一軸（３５）を中心に回転し、かつ前記折り畳みステーション（２３）の内側で対応する主側壁（１０）と恒常的に平行を維持するために、前記第一軸（３５）に平行の第二軸（４０）を中心に振動する、請求項３の方法。
【請求項５】
前記コントラスト部材（３２）はフラットプレート（３７）を含む、請求項１から４のいずれか１の方法。
【請求項６】
前記コントラスト部材（４９）と対応する主側壁（１０）間の接触は、前記コントラスト部材（４９）と対応するパケット（７）間の相対運動により動的接触である、請求項１または２の方法。
【請求項７】
前記相対運動は、対応する主側壁（１０）上の前記コントラスト部材（４９）の回動運動である、請求項６の方法。
【請求項８】
二つの主側壁（９，１０）、および二つの小側壁（１１）を有し、その各々が相互に重なりかつ一体化された長手内タブ（１４）および長手外タブ（１５）によって形成されるパケット（７）にタバコをパックするパック機において、
前記パック機は折り畳みステーション（２３）へ延びた折り畳み通路（Ｐ）に沿って連続的に前記パケット（７）を供給するための搬送手段（３）を含み、
前記搬送手段（３）は連続的把持ヘッド（２６）を含み、
前記把持ヘッドの各々は、それぞれの長手内タブ（１４）から外された開放位置の前記パケット（７）の長手外タブ（１５）を伴って対応するパケット（７）を端部により保持するための把持手段（２６）を含み、かつ
二つの折り畳みウイング（２１）の各々は、開放位置において対応する長手外タブ（１５）を支持する初期開放位置から、対応する長手内タブ（１４）と接触する閉鎖位置へ対応する長手外タブ（１５）を折り畳むために最終閉鎖位置へ、折り畳みステーション（２３）において移動自在であり、かつ
少なくとも一つの外部コントラスト部材（３２，４９）、および前記パケット（７）が前記折り畳みステーション（２３）へ移動する時の少なくとも一時期に対応する把持ヘッド（６）に対して外方に対面している各パケット（７）の主側壁（１０）に前記外部コントラスト部材（３２，４９）を実質的自由に接触させかつ接触を維持するための作動手段を含むことを特徴とする、タバコをパックするパック機。
【請求項９】
各前記長手外タブ（１５）と対応する長手内タブ（１４）間に接着剤を供給するために、前記折り畳み通路（Ｐ）に沿って前記折り畳みステーション（２３）から上流に位置決めされ接着ステーション（２９）に設置された接着剤手段を更に含む、請求項８のパック機。
【請求項１０】
前記コントラスト部材（３２，４９）と対応する主側壁（１０）間の接触が、前記コントラスト部材（３２）と対応するパケット（７）間のゼロ相対速度により静的接触になるように、前記コントラスト部材（３２）を作動させるためのコントラスト装置（３３）を更に含む、請求項８または９のパック機。
【請求項１１】
前記コントラスト装置（３３）は、前記折り畳み通路（Ｐ）を横断して外側へ延びたそれぞれの軸（３５）を中心に回転するように取付けた動力シャフト（３４）、前記動力シャフト（３４）に一体化された支持体（３６）、第一軸（３５）と平行の第二軸（４０）を中心に前記支持体（３６）に対して前記コントラスト部材（３２）を回転させるために前記コントラスト部材（３２）と前記支持体（３６）間に介在する蝶番（３９）、および所定法則に従って前記第二軸（４０）を中心とする前記コントラスト部材（３２）の角度位置を制御するための制御手段（４１）を含む、請求項１０のパック機。
【請求項１２】
前記コントラスト部材（３２）は、対応するパケット（７）の主側壁（１０）と接触するフラットプレート（３７）を含む、請求項１１のパック機。
【請求項１３】
前記コントラスト手段（４１）はカム装置を含み、かつ第一軸（３５）を中心に延びた固定環状トラック（４２）、および前記環状トラック（４２）と係合しかつ前記コントラスト部材（３２）に連結されたカムフォロア手段（４３）を含む、請求項１１または１２のパック機。
【請求項１４】
前記コントラスト部材（４９）と対応する主側壁（１０）間の接触が前記コントラスト部材（３２）と対応するパケット（７）間の相対運動により動的接触になるように、前記コントラスト部材（４９）を作動させるコントラスト装置（４５）を更に含む、請求項８または９のパック機。
【請求項１５】
前記相対運動は、対応する主側壁（１０）上の前記コントラスト部材（４９）の回動運動である、請求項１４のパック機。
【請求項１６】
前記コントラスト装置（４５）は、前記折り畳み通路（Ｐ）を横断して外側へ延びたそれぞれの軸（４７）を中心に回転するように前記折り畳みステーション（２３）に取付けた動力シャフト（３４）、および前記動力シャフト（３４）に取付けられかつ少なくとも一つの拡大ヘッド（４９）を有するプレート（４８）を含み、前記拡大ヘッドは前記コントラスト部材（４９）を形成し、かつ前記折り畳みステーション（２３）を移動する対応するパケット（７）の主側壁（１０）上を回動する回動面（５０）により外部が結合されている、請求項１４または１５のパック機。
【発明の詳細な説明】
【技術分野】
【０００１】
本発明はタバコのパック方法おパック機に関する。
【背景技術】
【０００２】
タバコ産業において、タバコパック機は、折り畳み通路に沿って複数の把持ヘッドを供給するためにそれぞれの軸を中心に回転する出力ホイールを含むことは既知である。各把持ヘッドは、二つの小長手側壁を含むタバコのそれぞれのパケットと係合しかつそれを保持し、二つの小長手側壁の各々は、相互に重なりかつ一体的に連結された長手外タブおよび長手内タブにより形成される。
【０００３】
上述のタイプの既知パック機において、各把持ヘッドは、開放位置において対応する長手外タブと共に対応するパケットを受け、かつ二つの折り畳みウイングを含み、二つのウイングの各々は折り畳み通路の一部に沿って延びた折り畳みステーションで、開放位置で対応する長手外タブを支持する初期開放位置から、対応する長手内タブと接触する閉鎖位置へ対応する長手外タブを折り畳むために最終閉鎖位置へ移動自在である。
【０００４】
上述のタイプの既知パック機において、最終閉鎖位置への折り畳みウイングの運動はパケットを横切る方向へ圧縮し、かつその結果として、特に薄いブランクを使用する場合には、パケットの主側壁の少なくとも一つが外方へ膨出することが知られている。
【発明の開示】
【発明が解決しようとする課題】
【０００５】
本発明の課題は、上述の欠点を解消するために設計されたタバコパック方法およびパック機を提供することにある。
【課題を解決するための手段】
【０００６】
上記課題を解決するための本発明によるタバコパック方法は請求項１に記載され、かつ好適には、請求項１に直接的または間接的に従属する続く請求項のいずれか一つに記載されている。
【０００７】
本発明によれば、更に、請求項８に記載のタバコパック機が提供され、かつ好適には、請求項８に直接的または間接的に従属する続く請求項のいずれか一つが提供される。
【０００８】
更に具体的には、本発明によるタバコのパック方法は、二つの主側壁、および二つの小側壁を有し、その各々が相互に重なりかつ一体化された長手内タブおよび長手外タブにより形成されるパケットにタバコをパックする方法に関する。このタバコのパック法は、前記パケットを折り畳みステーションへ延びた折り畳み通路に沿って連続的に供給する工程を含む。この供給工程において、各パケットは対応するパケットを端部によって保持する把持ヘッドにより折り畳みステーションへ延びた折り畳み通路に沿って供給される。各パケットは、長手外タブがそれぞれの長手内タブから外され、かつ把持ヘッドにより担持されたそれぞれの折り畳みウイングによって開放位置に支持された状態で供給される。
【０００９】
前記パック法は、対応する長手内タブと接触する閉鎖位置へ各長手外タブを折り畳むために、折り畳みステーションで各把持ヘッドの折り畳みウイングを移動する工程を更に含む。
【００１０】
前記タバコパック法は、更に、前記パケットが折り畳みステーションへ移動する時の少なくとも一時期に対応する把持ヘッドに対して外方に対面する各パケットの主側壁に外部コントラスト部材を実質的自由に接触させかつ接触を維持する工程を含むことを特徴とする。
【００１１】
好適パック法において、前記折り畳み通路は前記折り畳みステーションから上流の接着ステーションへ延び、接着剤は接着ステーションで各長手外タブおよび対応する長手内タブ間に供給される。
【００１２】
好適パック法において、前記コントラスト部材と対応する主側壁間の接触は、コントラスト部材と対応するパケット間のゼロ相対速度により静的接触である。
【００１３】
好適パック法において、前記コントラスト部材は、対応する把持ヘッドと同期して前記折り畳みステーションへ移動するために、前記折り畳み通路の外側で、第一軸を中心に回転し、かつ前記折り畳みステーションの内側で対応する主側壁と恒常的に平行を維持するために、前記第一軸に平行の第二軸を中心に振動する。
【００１４】
好適パック法において、前記コントラスト部材はフラットプレートを含む。
【００１５】
好適パック法において、前記コントラスト部材と対応する主側壁間の接触は、前記コントラスト部材と対応するパケット間の相対運動により動的接触である。
【００１６】
好適パック法において、前記相対運動は、対応する主側壁上の前記コントラスト部材の回動運動である。
【００１７】
本発明は更に二つの主側壁、および二つの小側壁を有し、その各々が相互に重なりかつ一体化された長手内タブおよび長手外タブによって形成されるパケットにタバコをパックするパック機を提供する。前記パック機は折り畳みステーションへ延びた折り畳み通路に沿って連続的に前記パケットを供給するための搬送手段を含み、前記搬送手段は連続的把持ヘッドを含み、前記把持ヘッドの各々は、それぞれの長手内タブから外された開放位置の前記パケットの長手外タブを伴って対応するパケットを端部により保持するための把持手段を含み、かつ二つの折り畳みウイングの各々は、開放位置において対応する長手外タブを支持する初期開放位置から、対応する長手内タブと接触する閉鎖位置へ対応する長手外タブを折り畳むために最終閉鎖位置へ、折り畳みステーションにおいて移動自在であり、かつ少なくとも一つの外部コントラスト部材、および前記パケットが前記折り畳みステーションへ移動する時の少なくとも一時期に対応する把持ヘッドに対して外方に対面している各パケットの主側壁に前記外部コントラスト部材を実質的自由に接触させかつ接触を維持するための作動手段を含むことを特徴とする。
【００１８】
好適形態のパック機において、各前記長手外タブと対応する長手内タブ間に接着剤を供給するために、前記折り畳み通路に沿って前記折り畳みステーションから上流に位置決めされ接着ステーションに設置された接着剤手段を更に含む。
【００１９】
好適形態のパック機において、前記コントラスト部材と対応する主側壁間の接触が、前記コントラスト部材と対応するパケット間のゼロ相対速度により静的接触になるように、前記コントラスト部材を作動させるためのコントラスト装置を更に含む。
【００２０】
好適形態のパック機において、前記コントラスト装置は、前記折り畳み通路を横断して外側へ延びたそれぞれの軸を中心に回転するように取付けた動力シャフト、前記動力シャフトに一体化された支持体、第一軸と平行の第二軸を中心に前記支持体に対して前記コントラスト部材を回転させるために前記コントラスト部材と前記支持体間に介在する蝶番、および所定法則に従って前記第二軸を中心とする前記コントラスト部材の角度位置を制御するための制御手段を含む。
【００２１】
好適形態のパック機において、前記コントラスト部材は、対応するパケットの主側壁と接触するフラットプレートを含む。
【００２２】
好適形態のパック機において、前記コントラスト手段はカム装置を含み、かつ第一軸を中心に延びた固定環状トラック、および前記環状トラックと係合しかつ前記コントラスト部材に連結されたカムフォロア手段を含む。
【００２３】
好適形態のパック機において、前記コントラスト部材と対応する主側壁間の接触が前記コントラスト部材と対応するパケット間の相対運動により動的接触になるように、前記コントラスト部材を作動させるコントラスト装置を更に含む。
【００２４】
好適形態のパック機において、前記相対運動は、対応する主側壁上の前記コントラスト部材の回動運動である。
【００２５】
好適形態のパック機において、前記コントラスト装置は、前記折り畳み通路を横断して外側へ延びたそれぞれの軸を中心に回転するように前記折り畳みステーションに取付けた動力シャフト、および前記動力シャフトに取付けられかつ少なくとも一つの拡大ヘッドを有するプレートを含み、前記拡大ヘッドは前記コントラスト部材を形成し、かつ前記折り畳みステーションを移動する対応するパケットの主側壁上を回動する回動面により外部が結合されている。
【発明を実施するための最良の形態】
【００２６】
次に添付図面を参照して本発明による幾つかの非制限的実施形態を例示として説明する。
【００２７】
図１において、参照番号１は、タバコパック機の全体を示し、その出力部２は出力ホイール３を含み、かつそれぞれの中心軸５を中心に連続的に回転する（図１において時計方向）動力中央ディスク４を含む。出力ホイール３は、更に、中央ディスク４の周辺に沿って等間隔を置き、かつ入力ステーション（図示せず）で一部開放したタバコのそれぞれのパケット７を受け、出力ステーション（図示せず）へ円形折り畳み通路Ｐに沿ってそれぞれのパケット７を供給し、更にパケット７が折り畳み通路Ｐに沿って供給されたときにそれぞれのパケット７の閉鎖を完成させるための複数の把持ヘッド６を含む。
【００２８】
各パケット７は剛性、実質的平行四辺形の蝶番付き蓋パケットであり、長軸８、相互および長軸８に対して平行の前主側壁９および後主側壁１０、相互および長軸８に対して平行でありかつ主側壁９および１０に垂直の二つの小さい側壁１１、および二つの端壁１２および１３を有する。各小側壁１１は対応する後主側壁１０の側縁に連結された長手内タブ１４、および対応する前主側壁９の側縁に連結された長手外タブ１５により形成される。タブ１４および１５は重なりかつ相互に対して接着剤層１６の介在により接合し、接着剤層は温接着剤、または冷接着剤、または図示例のごとく温冷接着剤により形成されてよい。
【００２９】
図１に更に明瞭に示されたように、各把持ヘッド６は、対応する把持ヘッド６を中央ディスク４に連結しかつ実質的矩形端プレート１８を外端上に一体的に取付けた環状シャフト１７を含み、対応する管状シャフト１７と同軸の他の管状シャフト１９が端プレート１８から外方へ突出しかつ端プレート１８に平行の実質的矩形プレート２０によりその外端で閉鎖している。管状シャフト１７および１９は二つのウイング２１の角度位置を制御するための既知機構（図示せず）を収容する。二つのウイング２１の各々は他のウイング２１に対面する端歯２２を有し（図示されていない形態において省略される）、かつウイング２１がプレート２０と実質的同一面になる開放位置(図1の右側)とウイング２１がプレート２０に対して垂直になる通常閉鎖位置（図１の左側）との間で折り畳み通路Ｐの一部に沿って延びた折り畳みステーション２３へ対応する把持ヘッド６が移動するときに、それぞれの軸２４を中心に回転するようにプレート２０の側縁に蝶番止めされている。
【００３０】
閉鎖位置において、ウイング２１およびそれぞれの端歯２２は、対応するプレート２０共に、軸２４に長軸８を平行して位置決めされた対応するパケット７を受けかつ保持するための座２５を形成し、前主側壁９をプレート２０に接触させ、かつ後主側壁１０を中央ディスク４に対して外方へ対面させる。
【００３１】
二つの直径方向に対峙する顎部２６は管状シャフト１７の外側に蝶番止めされ、顎部の各々は横切る端歯２７を有し、かつ中央ディスク４により担持された既知作動装置（図示せず）により、軸２４に平行の平面においてかつプレート２０の平面に垂直に、開放位置と、対応する座２５のそれぞれの端を閉鎖する閉鎖位置との間で回転する。
【００３２】
実際の使用に際して、各把持ヘッド６は、開放位置のウイング２１と共に、かつ折り畳み通路Ｐに沿って対応する把持ヘッド６の移動方向に長軸８が平行に位置決めされたそれぞれのパケット７を対応する座２５の内側に保持するために閉鎖位置の顎部２６を伴って、折り畳みステーション２３から折り畳み通路Ｐの一部に沿って上流へ移動する。このとき、対応する前主側壁９はプレート９と接触し、かつ対応する長手外タブ１５は開放してそれぞれのウイング２１と接触している。
【００３３】
折り畳みステーション２３に達する前に、把持ヘッド６および対応するパケット７は接着（gumming)ステーション２９へ給送される。接着ステーションでは、折り畳み通路Ｐの両側で固定位置に設置された二つの温接着剤接着装置３０、および折り畳み通路Ｐの両側で固定位置に設置された二つの冷接着剤接着装置３１が、それぞれ温接着剤および冷接着剤点滴を滴下して、未だ対応するウイング２１と接触する開放位置において長手外タブ１５の各々の内面上に接着剤１６の層を形成する。ウイング２１は折り畳みステーション２３へ実質的に移動するときに閉鎖位置へ移動する。
【００３４】
図示されない変形形態において、温接着剤接着（gumming)装置３０のみまたは冷接着剤接着装置３１のみが接着ステーション２９で使用される。
【００３５】
ウイング２１の閉鎖は、一方でパケット７の閉鎖を完全にするために行なわれ、かつ他方で、端歯２２が設けられる場合には、ウイング２１が閉鎖するときに端歯２２によってパケット７を把持ヘッド６へ更に結合させ、プレート２０上にパケット７を更に固定するためにパケット７の後主側壁１０と係合させる。
【００３６】
ウイング２１が閉鎖するとき、即ち、対応する把持ヘッド６が折り畳みステーション２３へ移動するときに、把持ヘッド６はコントラスト装置３３に取付けたコントラスト部材３２を折り畳み通路Ｐに沿って伴い、かつ主側壁９および１０、そして特に後主側壁１０が外方へ膨出し、結果としてウイング２１が閉鎖するときにウイングによって側圧縮が加わるのを防止する。
【００３７】
図２および３に示されたように、コントラスト装置３３は、軸５に平行に折り畳み通路Ｐの外側に延びかつそれぞれの軸３５を中心に回転するように（図２および３において半時計方向）取付けた動力シャフト３４を含む。シャフト３４にはディスク３６に取付けられ、かつ複数のコントラスト部材３２（図示例において三個であるが、異なる数であってよい）が軸３５を中心に等間隔で取付けられ、かつその各々は実質的矩形プレート３７を含み、かつ矩形プレート３７は、端歯２２が設けられる場合には後主側壁１０と実質的同一幅を有し、また反対にウイング２１が閉鎖位置のときに把持ヘッド６のウイング２１の端歯２２の対面端間の距離よりも広くない幅である。各プレート３７は、更に、主側壁９および１０と実質的同一長であり、かつ使用時にそれぞれの把持ヘッド６のそれぞれの顎部２６の端歯２７を受けるための凹部３８を各主側縁に沿って有する。
【００３８】
各コントラスト部材３２は、また、軸３５に平行のそれぞれの軸４０を中心にディスク３６に対してプレート３７を回転させるためにディスク３６に対応するプレート３７を連結する蝶番３９を含む。各プレート３７の対応する軸４０を中心とするディスク３６に対する角度位置は、軸３５を中心に延びた固定環状トラック４２を含み、かつ使用時にカムフォロア４３により移動するカム装置４１によって制御される。カムフォロア４３の各々はそれぞれのプレート３７に一体化されたそれぞれのレバー４４に取付けられている。
【００３９】
実際の使用時に、シャフト３４は出力ホイール３と同期作動し、それにより各把持ヘッド６は、折り畳みステーション２３を移動するときに、それぞれのコントラスト部材３２を伴い、そのプレート３６は、対応するプレート２０に対してパケット７を付勢するために対応するパケット７の後主側壁１０に接触して設置され、かつ軸３５を中心に、そして同様に対応する軸４０を中心にカム装置４１の制御下で回転する。ウイング２１が対応する長手外タブ１５を四角に折り畳む間プレート２０に平行に維持し、かつそのようにして対応する後主側壁１０が外方へ膨出するのを阻止する。
【００４０】
図４から６に示された形態において、対応する長手外タブ１５が折り畳まれるときに各パケット７の後主側壁１０が採る形態は、動力シャフト４６を含むコントラスト装置４５により制御される。動力シャフト４６は折り畳み通路Ｐの外側で軸５と平行のそれぞれの軸４７を中心に回転するために折り畳みステーション２３に取付けられる。シャフト４６には軸４７に垂直であって、各長手端に（図示されない変形形態において単一の長手端に）それぞれのコントラスト部材を形成する拡大ヘッド４９を有する、実質的矩形プレート４８が取付けられている。この目的から、各ヘッド４９は、シャフト４６が回転しかつ把持ヘッド６および対応するパケット７が折り畳みステーション２３を移動するときに、後主側壁１０が外方へ変形するのを防止するためにパケット７の後主側壁１０上で回動する外方へ凸出した回動面５０により外部から拘束される。
【図面の簡単な説明】
【００４１】
【図１】本発明によるパック機の第一作動状態における第一好適形態の出力部の、明瞭にするために一部が除去された、斜視図である。
【図２】他の作動状態における図１の部分詳細側面図である。
【図３】更に他の作動状態における図１の部分詳細側面図である。
【図４】第一作動状態における本発明によるバックパック機の第二好適形態の出力部の図１と同様の斜視図である。
【図５】他の作動状態における図４の詳細側面図である。
【図６】更に他の作動状態における図４の詳細側面図である。
【符号の説明】
【００４２】
１…パック機
２…出力部
３…出力ホイール
４…中央ディスク
５…中心軸
６…把持ヘッド
７…パケット
８…長軸
９…前主側壁
１０…後主側壁
１１…小側壁
１４…内タブ
１５…外タブ
２１…ウイング
２２…端歯
２６…顎部
３２…コントラスト部材
３３…コントラスト装置
３７…プレート
【図１】
2004269055.tif 000003
【図２】
2004269055.tif 000004
【図３】
2004269055.tif 000005
【図４】
2004269055.tif 000006
【図５】
2004269055.tif 000007
【図６】
2004269055.tif 000008
【外国語明細書】
2004269055000001.pdf